(57)【要約】【課題】例えば地上デジタルテレビジョン放送の番組やデータ放送を再配信する際の処理負荷を低減する。【解決手段】再配信装置（１）は、１又は複数の物理チャンネルで地上デジタルテレビジョン放送を受信する受信手段（１０，２０）と、該受信される地上デジタルテレビジョン放送に含まれる所望の番組を、当該所望の番組に対応した物理チャンネルを構成する１３セグメントのうち１セグメント放送用の１セグメント部分を少なくとも含めて、ストリーム記録する記録手段（３０）とを備える。そして、記録される所望の番組から１セグメント部分を分離する分離手段（９１）と、該分離される１セグメント部分を、１セグメント放送で採用されている映像フォーマットのまま、ＩＰネットワーク経由で受信装置へ再配信する再配信手段（９０）とを更に備える。【選択図】図１
2009094972.tif 000002
【特許請求の範囲】
【請求項１】
１又は複数の物理チャンネルで地上デジタルテレビジョン放送を受信する受信手段と、
該受信される地上デジタルテレビジョン放送に含まれる所望の番組を、当該所望の番組に対応した物理チャンネルを構成する１３セグメントのうち１セグメント放送用の１セグメント部分を少なくとも含めて、ストリーム記録する記録手段と、
前記記録される所望の番組から前記１セグメント部分を分離する分離手段と、
該分離される１セグメント部分を、前記１セグメント放送で採用されている映像フォーマットのまま、ＩＰネットワーク経由で受信装置へ再配信する再配信手段と
を備えることを特徴とする再配信装置。
【請求項２】
前記受信手段は、前記地上デジタルテレビジョン放送に伴うデータ放送を更に受信し、
前記記録手段は、前記受信されるデータ放送を更に記録するとともに、前記記録されるデータ放送を検索するためのデータ放送検索データベースを備えており、
該データ放送検索データベースに格納する情報を、所定のテーブルの構造に従って前記記録されるデータ放送から抽出する抽出手段と、
前記データ放送検索データベースにおける検索結果を、前記ＩＰネットワーク経由で前記受信装置に返すデータ放送検索手段とを更に備える
ことを特徴とする請求項１に記載の再配信装置。
【請求項３】
前記データ放送検索データベースは、
前記記録されるデータ放送を、前記所定のテーブルの構造に従って、前記ストリーム記録される番組と対応づけて格納し直すための番組データベースと、
前記受信装置において検索用のインデックスとして一覧表示される情報を、前記番組データベースの所定のフィールドから抽出して格納するための番組インデックスデータベースとを含む
ことを特徴とする請求項２に記載の再配信装置。
【請求項４】
当該再配信装置及び前記受信装置は同一のＬＡＮに属しており、
該ＬＡＮにおいて当該再配信装置に割り当てられているローカルＩＰアドレスと一意に対応づけられた記号を作成する記号作成手段と、
該作成される記号を前記受信装置に対して表示する表示手段とを更に備える
ことを特徴とする請求項１から３の何れか一項に記載の再配信装置。
【請求項５】
当該再配信装置、前記受信装置、及びインターネットにおいて当該再配信装置に動的に割り当てられるグローバルＩＰアドレスを管理するための管理サーバが、夫々インターネットに接続可能であり、
該インターネットにおいて前記管理サーバに固定的に割り当てられるグローバルＩＰアドレス、及び当該再配信装置の識別情報からなる情報と一意に対応づけられた記号を作成する記号作成手段と、
該作成される記号を前記受信装置に対して表示する表示手段とを更に備える
ことを特徴とする請求項１から３の何れか一項に記載の再配信装置。
【請求項６】
地上デジタルテレビジョン放送のうち１セグメント放送用の１セグメント部分を受信する第１受信手段と、
再配信装置によってストリーム記録された番組のうち１セグメント放送用の１セグメント部分であって、該１セグメント放送で採用されている映像フォーマットのままＩＰネットワーク経由で再配信されてくるものを受信する第２受信手段と、
前記第１受信手段及び前記第２受信手段の各々で受信される１セグメント部分を共に復号する復号手段と、
前記第２受信手段から前記復号手段へと前記１セグメント部分を出力する場合の出力レートを、前記第１受信手段からの場合と同じにするように、前記第２受信手段から出力される１セグメント部分のバッファリングを行う調整手段と
を備えることを特徴とする受信装置。
【発明の詳細な説明】
【技術分野】
【０００１】
本発明は、地上デジタルテレビジョン放送の番組やデータ放送を再配信するための再配信装置及びそれらの受信装置に係る技術分野に関する。
【背景技術】
【０００２】
この種の再配信装置において、アナログ放送された番組を再配信する場合に、ネットワークの通信速度や受信装置の処理能力に応じて、映像の解像度やビットレートを可変させ再配信する技術がある。例えば、特許文献１では、ＡＶ（Audio Visual）サーバが、ＴＶ（Television）放送の放送局の選局及びアナログ放送信号の受信のためのＴＶチューナを備え、ＡＶクライアント装置による制御によりＴＶチューナにより選局されたアナログ放送信号を受信するとともに、受信した放送信号をＭＰＥＧ（Moving Picture Experts Group）エンコーダ等により配信に適した画像圧縮方式にエンコードし、エンコードしたデジタルデータをネットワークを介してＡＶクライアント装置に送信する技術が開示されている。
【０００３】
【特許文献１】特開2005-204273号公報
【発明の開示】
【発明が解決しようとする課題】
【０００４】
しかしながら、例えば前述の特許文献１に開示されている技術、或いはロケーションフリー（ソニー株式会社の登録商標）やSlingPlayer（Sling Media, Incの登録商標）に関する技術では、ＭＰＥＧエンコーダのようなフォーマット変換処理が必要である。仮にアナログ放送に代えて地上デジタルテレビジョン放送でこれらの再配信装置を実現させる場合でも同様なフォーマット変換処理を行うと、当然ながら再配信装置にとっては負荷となる。特にハイビジョン放送を再配信しようものなら、その負荷は深刻である。
【０００５】
本発明は、例えば上述した問題点に鑑みてなされたものであり、地上デジタルテレビジョン放送の番組やデータ放送を再配信する際の処理負荷を低減できる再配信装置及びそれらの受信装置を提供することを課題とする。
【課題を解決するための手段】
【０００６】
本発明の再配信装置は上記課題を解決するために、１又は複数の物理チャンネルで地上デジタルテレビジョン放送を受信する受信手段と、該受信される地上デジタルテレビジョン放送に含まれる所望の番組を、当該所望の番組に対応した物理チャンネルを構成する１３セグメントのうち１セグメント放送用の１セグメント部分を少なくとも含めて、ストリーム記録する記録手段と、前記記録される所望の番組から前記１セグメント部分を分離する分離手段と、該分離される１セグメント部分を、前記１セグメント放送で採用されている映像フォーマットのまま、ＩＰ（Internet Protocl）ネットワーク経由で受信装置へ再配信する再配信手段とを備える。
【０００７】
本発明の受信装置は上記課題を解決するために、上記再配信装置から再配信される番組等を受信するために、地上デジタルテレビジョン放送のうち１セグメント放送用の１セグメント部分を受信する第１受信手段と、再配信装置によってストリーム記録された番組のうち１セグメント放送用の１セグメント部分であって、該１セグメント放送で採用されている映像フォーマットのままＩＰネットワーク経由で再配信されてくるものを受信する第２受信手段と、前記第１受信手段及び前記第２受信手段の各々で受信される１セグメント部分を共に復号する復号手段と、前記第２受信手段から前記復号手段へと前記１セグメント部分を出力する場合の出力レートを、前記第１受信手段からの場合と同じにするように、前記第２受信手段から出力される１セグメント部分のバッファリングを行う調整手段とを備える。
【０００８】
本発明の作用及び他の利得は次に説明する実施するための最良の形態から明らかにされよう。
【発明を実施するための最良の形態】
【０００９】
以下、発明を実施するための最良の形態としての本発明の実施形態に係る再配信装置、及び受信装置について順に説明する。
【００１０】
本実施形態に係る再配信装置は上述の課題を解決するために、１又は複数の物理チャンネルで地上デジタルテレビジョン放送を受信する受信手段と、該受信される地上デジタルテレビジョン放送に含まれる所望の番組を、当該所望の番組に対応した物理チャンネルを構成する１３セグメントのうち１セグメント放送用の１セグメント部分を少なくとも含めて、ストリーム記録する記録手段と、前記記録される所望の番組から前記１セグメント部分を分離する分離手段と、該分離される１セグメント部分を、前記１セグメント放送で採用されている映像フォーマットのまま、ＩＰネットワーク経由で受信装置へ再配信する再配信手段とを備える。
【００１１】
本実施形態に係る再配信装置によれば、先ず、１又は複数の物理チャンネルで地上デジタルテレビジョン放送が、受信手段によって受信される。受信手段は、地上デジタルテレビジョン放送で用いられるＵＨＦ帯域の放送波を受信可能なデジタルチューナであるが、地上デジタルテレビジョン放送に加えて又は代えてＢＳデジタル及び110度ＣＳデジタル放送も受信可能であってもよい。所定の物理チャンネルは、例えばＵＨＦ帯域に含まれる１３ｃｈ〜５２ｃｈ（２０１２年までは５３〜６２ｃｈも含む）のうち何れかである。
【００１２】
このとき、ユーザからの指示を受けて或いは自動的に、受信される地上デジタルテレビジョン放送に含まれる所望の番組が、当該所望の番組に対応した物理チャンネルを構成する１３セグメントのうち１セグメント放送用の１セグメント部分を少なくとも含めて、記録手段によってストリーム記録される。つまり、トランスポートストリームがそのまま記録される。ここで、記録手段は、例えば光ディスクを記録媒体とする光学的な記録手段、或いはハードディスクドライブのような磁気的な記録手段である。
【００１３】
そして、例えば受信装置から所望の番組を再生するようにとの再生リクエストを受けた場合には、記録されている所望の番組から、いわゆるフルセグメント放送用の１２セグメント部分ではなく、１セグメント放送用の１セグメント部分が、分離手段によって分離される。
【００１４】
こうして分離される１セグメント部分が再配信の対象となる。この１セグメント部分は、データレートが比較的少ないので、１セグメント放送で採用されている映像フォーマット（例えば、Ｈ．２６４）のまま、ＩＰネットワーク経由で受信装置へ、再配信手段によって再配信される。
【００１５】
このように、本発明に係る再配信装置は、予め１セグメント放送用の１セグメント部分を少なくとも含めて、ストリーム記録しておき、再配信の際にはそれを分離して映像フォーマットを変換せずに、ＩＰネットワーク経由で受信装置へ再配信する。
【００１６】
したがって、１２セグメント部分を再配信する場合に比べて出力レートが抑えられ、もって地上デジタルテレビジョン放送の番組やデータ放送を再配信する際の処理負荷を低減できる。
【００１７】
本実施形態に係る再配信装置の一態様では、前記受信手段は、前記地上デジタルテレビジョン放送に伴うデータ放送を更に受信し、前記記録手段は、前記受信されるデータ放送を更に記録するとともに、前記記録されるデータ放送を検索するためのデータ放送検索データベースを備えており、該データ放送検索データベースに格納する情報を、所定のテーブルの構造に従って前記記録されるデータ放送から抽出する抽出手段と、前記データ放送検索データベースにおける検索結果を、前記ＩＰネットワーク経由で前記受信装置に返すデータ放送検索手段とを更に備える。
【００１８】
この態様によれば、地上デジタルテレビジョン放送に伴うデータ放送が更に、受信手段によって受信され、記録手段によって記録される。記録手段には、こうして記録されるデータ放送を検索するためのデータ放送検索データベースが備わっている。このデータ放送検索データベースに格納する情報は、所定のテーブルの構造（例えば、データ放送の「タイトル」、「カテゴリ」等を含むフィールドを備える構造）に従って記録されるデータ放送から、抽出手段によって抽出される。そして、データ放送検索データベースには、記録手段に記録されたデータ放送の諸情報が蓄積されていく。このようなデータ放送検索データベースは、例えばリレーショナルデータベースマネージメントシステムとして構築されており、受信装置によって指定される検索条件はＳＱＬのようなデータベース言語によって記述される。そして、データ放送検索データベースにおける検索結果は例えばＨＴＭＬによって記述され、データ放送検索手段によって、ＩＰネットワーク経由で、受信装置に返される。このようにして、過去の番組表情報や録画済コンテンツに関する諸情報等といったデータ放送が記録され、検索可能となる。
【００１９】
このようにデータ放送が記録される態様では、前記データ放送検索データベースは、前記記録されるデータ放送を、前記所定のテーブルの構造に従って、前記ストリーム記録される番組と対応づけて格納し直すための番組データベースと、前記受信装置において検索用のインデックスとして一覧表示される情報を、前記番組データベースの所定のフィールドから抽出して格納するための番組インデックスデータベースとを含んでもよい。
【００２０】
この態様によれば、データ放送検索データベースは、以下の番組データベースと、番組インデックスデータベースとを含んでなる。ここで、番組データベースは、記録されるデータ放送を、所定のテーブルの構造に従って、ストリーム記録される番組と対応づけて格納し直すためデータベースである。すなわち、各番組に対応するデータ放送に含まれる諸情報が、検索に適した形で整形される。また、番組インデックスデータベースは、受信装置において検索用のインデックスとして一覧表示される情報を、上記番組データベースの所定のフィールドから抽出して格納するためのデータベースである。これにより、ユーザは、受信装置において検索用のインデックスを参照しながら、所望のデータ放送を選択ないし検索することができる。
【００２１】
本実施形態に係る再配信装置の他の態様では、当該再配信装置及び前記受信装置は同一のＬＡＮ（Local Area Network）に属しており、該ＬＡＮにおいて当該再配信装置に割り当てられているローカルＩＰアドレスと一意に対応づけられた記号を作成する記号作成手段と、該作成される記号を前記受信装置に対して表示する表示手段とを更に備える。
【００２２】
この態様によれば、ＬＡＮにおいて当該再配信装置に割り当てられているローカルＩＰアドレスと一意に対応づけられた記号（例えば、ＱＲコード）が、マイクロプロセッサからなる記号作成手段によって作成され、モニタのような表示手段によって受信装置に対して表示される。この受信装置は、当該再配信装置と同一のＬＡＮに属しているので、この記号を画像解析して得られるローカルＩＰアドレスに基づいて、当該再配信装置にＬＡＮ経由でアクセスできる。
【００２３】
或いは、本実施形態に係る再配信装置の他の態様では、当該再配信装置、前記受信装置、及びインターネットにおいて当該再配信装置に動的に割り当てられるグローバルＩＰアドレスを管理するための管理サーバが、夫々インターネットに接続可能であり、該インターネットにおいて前記管理サーバに固定的に割り当てられるグローバルＩＰアドレス、及び当該再配信装置の識別情報からなる情報と一意に対応づけられた記号を作成する記号作成手段と、該作成される記号を前記受信装置に対して表示する表示手段とを更に備える。
【００２４】
この態様によれば、インターネットにおいて管理サーバに固定的に割り当てられるグローバルＩＰアドレス、及び当該再配信装置の識別情報からなる情報と一意に対応づけられた記号が、記号作成手段によって作成され、モニタのような表示手段によって受信装置に対して表示される。受信装置は、この記号を画像解析して得られる管理サーバのグローバルＩＰアドレスに基づいて、先ず管理サーバにインターネット経由でアクセスする。そして、当該再配信装置の識別情報を用いて照会することで、管理されている幾つかのグローバルＩＰアドレスのうち、当該再配信装置のものを特定できる。こうして得られるグローバルＩＰアドレスに基づいて、受信装置は、当該再配信装置にインターネット経由でアクセスできる。なお、グローバルＩＰアドレスが「固定的に割り当てられる」とは、例えばDHCP（Dynamic Host Configuration Protocol）サーバによって「動的に割り当てられる」場合に比べて、割り当て頻度が少ない（すなわち、変更が少ない）ことを意味しており、グローバルＩＰアドレスが未来永劫変化しないことまでは必要ない。
【００２５】
本実施形態に係る受信装置は、上記再配信装置から再配信される番組等を受信するために、地上デジタルテレビジョン放送のうち１セグメント放送用の１セグメント部分を受信する第１受信手段と、再配信装置によってストリーム記録された番組のうち１セグメント放送用の１セグメント部分であって、該１セグメント放送で採用されている映像フォーマットのままＩＰネットワーク経由で再配信されてくるものを受信する第２受信手段と、前記第１受信手段及び前記第２受信手段の各々で受信される１セグメント部分を共に復号する復号手段と、前記第２受信手段から前記復号手段へと前記１セグメント部分を出力する場合の出力レートを、前記第１受信手段からの場合と同じにするように、前記第２受信手段から出力される１セグメント部分のバッファリングを行う調整手段とを備える。
【００２６】
この受信装置態様によれば、地上デジタルテレビジョン放送のうち１セグメント放送用の１セグメント部分が、第１受信手段によって受信される。これと平行して、再配信装置によって再配信されてくる１セグメント部分が、第２受信手段によって受信される。第１受信手段及び第２受信手段の各々で受信される１セグメント部分は、共通の復号手段によって復号される。このとき、第２受信手段から復号手段へと１セグメント部分を出力する場合の出力レートは、第１受信手段からの場合に比べて高いと考えられる。そこで、例えばバッファメモリを備える調整手段によって、第２受信手段から出力される１セグメント部分のバッファリングが行われる。そうして上記２つの出力レートが同じにすると、復号手段を共用できる。なお、ここでいう出力レートが「同じ」とは、完全に同じである場合のみならず、若干のマージンを許容してもよい。
【００２７】
以上、説明したように、本実施形態の再配信装置によれば、受信手段と、記録手段と、分離手段と、再配信手段とを備えるので、地上デジタルテレビジョン放送の番組やデータ放送を再配信する際の処理負荷を低減可能となる。更に、本実施形態の受信装置によれば、上記再配信装置によって再配信される番組やデータ放送を比較的容易な構成で受信できる。
【００２８】
本実施形態の作用及び他の利得は次に説明する実施例から明らかにされよう。
【実施例】
【００２９】
以下、本発明の実施例を図面に基づいて説明する。
【００３０】
（１−１）実施例に係る再配信装置及び受信装置の基本構成
図１は、本発明の実施例に係る再配信装置１の基本構成を示すブロック図である。
【００３１】
図１に示すように、実施例に係る再配信装置１は、以下に詳述する構成要素からなり、受信アンテナ１０で受信した地上デジタルテレビジョン放送のコンテンツを主記憶装置３０に録画し、それを１セグメント再配信部９０によってＩＰネットワーク１２経由で受信装置２１０に再配信する。なお、地上デジタル放送に関する規定は、社団法人電波産業会ＡＲＩＢ（Association of Radio Industries and Businesses）によって制定されている。
【００３２】
受信アンテナ１０は、近隣の基地局１１から送信される地上デジタルテレビジョン放送のＴＳ（Transport Stream）を受信する。ＴＳには、符号化された映像データ、及び音声データからなる複数チャンネルのテレビジョン放送と、テレビジョン放送に付随したデータ放送とが多重化されている。なお、１２セグメント放送、及び１セグメント放送で採用される符号化方式は、夫々例えばＭＰＥＧ２、及びＨ．２６４である。
【００３３】
デジタル放送チューナ部モジュール２０は、受信アンテナ１０を用いて、地上デジタルテレビジョン放送のＴＳを選択受信する。
【００３４】
主記憶装置３０は、例えば半導体メモリであり、映像・番組情報３１を記録する。具体的には、主記憶装置３０は、デジタル放送チューナ部モジュール２０によって選択受信されたＴＳを、そのままストリーム記録する。このとき、１セグメント部分のＩＰネットワーク１２経由での再配信と、１２セグメント部分のモニタ２２０での視聴とを両立させるには、１３セグメントが全て記録されることが望ましい。加えて、主記憶装置３０は、データ放送中のデータを参照して得られる番組情報（例えば、放送日時や番組タイトル等）を更に記録する。映像・番組情報３１の利用態様については図３を参照して後述する。
【００３５】
制御部４０は、例えばＣＰＵ（Central Processing Unit）、該ＣＰＵが実行するプログラムや各種制御用データを格納したＲＯＭ（Read Only Memory）、該ＣＰＵがワークに用いるＲＡＭ（Random Access Memory）を備え、リモコン操作等によるユーザ入力に従い、主記憶装置３０での録画処理用の制御ソフトウェアや、１セグメント再配信部９０による再配信処理用の制御ソフトウェアを読出し実行する。
【００３６】
１セグメント分離部９１は、主記憶装置３０にストリーム記録されているＴＳのなかから、再生をリクエストされたコンテンツの１セグメント部分を分離し、そのＴＳパケットを１セグメント再配信部９０へ出力する。
【００３７】
１セグメント再配信部９０は、例えばＴＳ−ＩＰ変換器のように、１セグメント分離部９１によって入力されるＴＳパケットにＵＤＰヘッダ及びＩＰヘッダを付与することでＩＰパケットを生成し、これをＩＰネットワーク１２に再配信する。なお、ＩＰネットワーク１２は、例えばインターネットやＬＡＮネットワークであり、その通信プロトコルは、例えばIPv4やIPv6である。
【００３８】
ネットワーク通信部７０は、制御部４０や主記憶装置３０等とバスを介して接続される一方で、受信装置２１０とＩＰネットワーク１２を介して接続されている。ネットワーク通信部７０は、例えばＨＴＴＰ（HyperText Transfer Protocol）に基づくリクエストを受けるとともに、例えばＨＴＭＬのように受信装置２１０のブラウザが閲覧可能な閲覧用データを作成し、レスポンスとして受信装置２１に返す。ネットワーク通信部７０は、例えば再生操作・録画予約機能や、データ放送検索機能の全部又は一部を司る。ここで、再生操作・録画予約機能に関しては、ネットワーク通信部７０が、受信装置２１０からの再生リクエスト（例えば、再生したいコンテンツの識別情報を示すリクエスト）、或いは録画予約リクエスト（例えば、電子番組表に従って指定された録画希望コンテンツを示すリクエスト）をIPネットワーク１２経由で受ける。すると制御部４０が、再生リクエストに応じて、所望のコンテンツの１セグメント部分を、IPネットワーク１２経由で受信装置２１０へと再配信するように、１セグメント分離部９１及び１セグメント再配信部９０を制御する。或いは、制御部４０が、録画予約リクエストに応じたコンテンツを、主記憶装置３０にストリーム記録する。また、データ放送検索機能に関しては、ネットワーク通信部７０が、受信装置２１０からの検索リクエスト（例えば、検索用のキーワードを示すリクエスト）をIPネットワーク１２経由で受ける。ここで主記憶装置３０には、デジタルデータの内容やインデックス情報が、例えばリレーショナルデータベース形式で記録されており、制御部４０がそのなかから検索し、検索結果をネットワーク通信部７０に返す。詳しくは、図３を参照して後述する。
【００３９】
１２セグメントデコード部６０は、主記憶装置３０にストリーム記録されているＴＳ、又はデジタル放送チューナ部モジュール２０によって取得されたＴＳの、１２セグメント（すなわち、フルセグメント）部分に多重化された複数の情報（映像、音声、データカルーセル等） を分離するとともに、それらの出力端子を備える。すなわち、１２セグメントデコード部６０は、１２セグメント部分のパケットを選別してデコードする。なお、１セグメント部分のパケットを無視する構成としてもよい。
【００４０】
モニタ２２０は、例えばプラズマディスプレイ、液晶テレビ等であり、１２セグメントデコード部６０によってデコードされた現在放送中又は録画されたコンテンツを視聴するための表示装置である。加えて、モニタ２２０は、音声信号に基づいて音声出力部を備える。
【００４１】
以上みてきたように、実施例に係る再配信装置１は、受信アンテナ１０で受信した地上デジタルテレビジョン放送のコンテンツを主記憶装置３０に録画し、そのうち１セグメント分離部９１によって分離される１セグメント部分を、ＭＰＥＧエンコーダ等により再エンコードすることなく、１セグメント再配信部９０によってＩＰネットワーク１２経由で受信装置２１０に再配信する。この際、デジタル放送される１３セグメントを記録するので、そのうち１セグメント部分をそのまま再配信に利用することができ、もって再配信装置１での再エンコード処理の負荷及びコストを削減できる。そうすると、自宅において家族が現在放送中の番組又は録画済み番組を視聴していても、録画済みの別の番組の１セグメント部分をＩＰネットワーク１２に再配信して別室の受信装置２１０で同時に視聴することができるので、非常に便利である。
【００４２】
なお、再配信されるコンテンツの１セグメント部分を受信する受信装置２１０は、図２のように構成される。
【００４３】
図２は、本発明の実施例に係る受信装置２１０の基本構成を示すブロック図である。
【００４４】
図２に示すように、本発明の実施例に係る受信装置２１０は、受信アンテナ２１２０経由で受信する１セグメント放送波からのストリーム入力に加えて、ＩＰネットワーク１２からのストリーム入力にも対応可能に構成される。具体的には、受信装置２１０は、コントロール信号入力部２１５と、モニタ部２１４と、ネットワーク通信部２１１と、１セグメント放送チューナ部２１２と、１セグメントデコード部とを備える。
【００４５】
１セグメント放送チューナ部２１２は、昨今の携帯電話のようにワンセグ放送受信機能を有している端末に備わる、１セグメント放送用のデジタルチューナであり、１セグメント放送を選択受信する。
【００４６】
ネットワーク通信部２１１は、例えばパケット通信や無線ＬＡＮ機能を備え、コントロール信号入力部２１５からの再生リクエストや録画予約リクエストを、ＩＰネットワーク１２経由で、再配信装置１へと送信する。他方で、再配信装置１から再配信されるコンテンツの１セグメント部分を、ＩＰネットワーク１２経由で受信し、１セグメントデコード部２１３へと出力する。この出力を１セグメント放送チューナ部２１２と共用の１セグメントデコード部２１３に入力することに鑑みれば、例えばバッファメモリを更に備え、出力レートが、１セグメント放送チューナ部２１２と同程度となるようにタイミング調整がなされることが好ましい。
【００４７】
１セグメントデコード部２１３は、選択受信した１セグメント放送を、OFDM復調、及び誤り訂正して、基地局１１が送り出したものと同様のTSパケットを復元する。TS パケットには映像や音声以外にも字幕や番組情報などのデータ情報が含まれており、映像・音声パケットとデータ放送パケットとを振り分け、そのうち映像・音声パケットから映像信号と音声信号をそれぞれ復号する。復号された映像信号と字幕やデータ放送の画像などは、重ね合わされ、音声信号とともにモニタ部２１４に送られる。
【００４８】
モニタ部２１４は、例えば液晶ディスプレイであり、上述の映像やデータ放送の画像からなるコンテンツを表示する表示装置である。加えて、音声信号に基づいて音声出力部を備えてもよい。なお、モニタ部２１４での視聴・操作にはＨＴＭＬブラウザや専用アプリケーションを利用する。
【００４９】
コントロール信号入力部２１５は、例えば「０」〜「９」、「＃」及び「＊」が付されたボタンと縦横方向の指示が可能な十字ボタンを備え、再配信装置１に対する再生リクエストや、録画予約リクエストをユーザが入力可能なように構成されている。ユーザの入力は、圧電素子などによって電気信号に変換され、ネットワーク通信部２１１へと出力される。
【００５０】
以上みてきたように、本実施例に係る受信装置２１０によると、１セグメント放送チューナ部２１２のみならず、ネットワーク通信部２１１を備えるので、現在放送中の１セグメント放送のみならず、再配信装置１に録画されているコンテンツも視聴できる。この際、昨今の携帯電話のように、１セグメント放送受信機能と、IPネットワーク接続機能を併せ持つ受信装置によれば、機能付加の必要も殆ど発生しないので、実践上非常に便利である。
【００５１】
（１−２）実施例に係る再配信装置のデータベースについて
次に、実施例に係る再配信装置１の主記憶装置３０に記録されているデータベースのより詳細な構成とその利用態様について、図３及び図４を用いて説明する。ここで、図３は、実施例に係る再配信装置１のデータベースを示すブロック図である。図４は、実施例に係る再配信装置１のデータベースを、受信装置２１０から操作する様子を示す模式図である。
【００５２】
図３に示すように、主記憶装置３０は、映像・番組情報３１に加えて、データ放送検索データベース３２を格納しており、両者の橋渡しをするデータベース抽出作成部３３を更に備える。
【００５３】
データベース抽出作成部３３は、データ放送内容から、閲覧用のデータ、及びその検索用インデックスを抽出して、データ放送検索データベース３２の番組データベース３２２、及び番組インデックスデータベース３２１に夫々格納する。
【００５４】
データ放送検索データベース３２は、番組データベース３２２と、番組インデックスデータベース３２１とを含んでなる。番組データベース３２２は、各番組毎にデータ放送のタイトル、放送された日時、対応する番組情報、所属するカテゴリ（例えば、ニュース、天気予報、番組情報、株価等のカテゴリ）、本文、画像等を夫々格納する。番組インデックスデータベース３２１は、番組データベース３２２に格納されたデータ放送のカテゴリを一覧表示するためのカテゴリリスト、及びそのタイトルを一覧表示するためのタイトルリスト等を格納するほか、データの本体である番組データベース３２２へのポインタを併せて保持している。
【００５５】
これにより、図４に示すように、受信装置２１０のWEBブラウザ又は専用ブラウザには、ネットワーク通信部７０、及びIPネットワーク１２を介して、番組インデックスデータベース３２１に格納されたカテゴリやタイトルが一覧表示される。そして、カテゴリやタイトルに基づくデータ放送の検索及び閲覧が可能となる。例えば、視聴している番組に関連する番組情報を閲覧したり、最新のニュースをまとめて閲覧することが可能となるので、大変便利である。
【００５６】
（１−３）ＱＲコードを利用した再配信装置１へのアクセスについて
以下に、実施例に係る再配信装置１へのアクセスにＱＲコードを利用する際の手順を、説明する。当該手順は、アクセス経路たるIPネットワーク１２が、ＬＡＮであるか、インターネットであるかによって異なる。そこで、両経路について図５及び図６を参照して個別に説明する。
【００５７】
図５は、実施例に係る再配信装置１へのアクセスにＱＲコードを利用する際の手順を概念的に示す模式図である（ＬＡＮ（Local Area Network）１２１経由の場合）。
【００５８】
図５に示すように、受信装置２１０がＬＡＮ１２１経由で再配信装置１へアクセスするのに先立ち、初期設定が以下の手順で行われる。先ず、再配信装置１に直接接続されたモニタ２２０に、ＬＡＮ１２１における再配信装置１のローカルＩＰアドレスに基づいて制御部４０によって生成されたＱＲコードが表示される（ステップＳ１１）。受信装置２１０には、撮像装置と画像解析装置とからなる一般的なＱＲコードリーダが備わっており、表示されたＱＲコードを読み取り、画像と数字との所定の対応関係から、当該ＬＡＮ１２１における再配信装置１のローカルＩＰアドレスを特定する。これに基づいて、受信装置２１０は、再配信装置１に当該ＬＡＮ１２１経由でアクセスする（ステップＳ１２）。そして、受信装置２１０には、再配信装置１のローカルＩＰアドレスを含む情報が登録される（ステップＳ１３）。なお、ネットワーク接続の状態を変更しなければ、次回以降のアクセスでは上記ステップＳ１１からＳ１３までの操作は不要である。
【００５９】
次いで図５に示すように、通常の視聴等が以下の手順で行われる。すなわち、受信装置２１０に備わるＷＥＢブラウザ又は専用アプリケーションを起動し、上記のように初期設定されたローカルＩＰアドレスに基づいてアクセスした再配信装置１に対して再生リクエストを送信することで、再配信装置１に記録された所望のコンテンツの視聴等の操作が可能である（ステップＳ１４）。また、再配信装置１から送信された録画予約一覧情報を受信装置２１０のモニタ部２１４で確認したり、再配信装置１に対して録画予約リクエストを送信することで、録画予約設定を行うことも可能である（ステップＳ１５）。
【００６０】
図６は、実施例に係る再配信装置１へのアクセスにＱＲコードを利用する際の手順を概念的に示す模式図である（インターネット１２１経由での接続例）。
【００６１】
図６に示すように、受信装置２１０がインターネット１２２経由で再配信装置１へアクセスする場合には、再配信装置１をインターネット１２２に公開するために、再配信装置１にインターネット１２２上で固有のグローバルＩＰアドレスが割り当てられていなければならない。ここで、一般のユーザがグローバルＩＰアドレスを所有していることは少なく、通常は再配信装置１がインターネット１２２に接続する都度、DHCP（Dynamic Host Configuration Protocol）サーバによってグローバルＩＰアドレスが動的に割り当てられる。受信装置２１０は、こうして再配信装置１に動的に割り当てられるグローバルＩＰアドレスに基づいて、インターネット１２２経由で直接アクセスすることも可能であるが、受信装置２１０側では再配信装置１のグローバルＩＰアドレスの変化への対応作業が発生してしまう。そこで、固定的なグローバルＩＰアドレスを所有するＩＰアドレス管理サーバ１４を仲介役としたアクセス方法について説明する。
【００６２】
図６に示すように、受信装置２１０がインターネット１２２経由で再配信装置１へアクセスするのに先立ち、初期設定が以下の手順で行われる。先ず、ユーザは、モニタ２２０に表示される設定画面で確認しながら、インターネット１２２上のＩＰアドレス管理サーバ１４に、再配信装置１を配信サーバとして登録する（ステップＳ２１）。具体的には、再配信装置１の固定的な識別情報（例えば、ホスト名）と、再配信装置１に動的に割り当てられたグローバルＩＰアドレスのうち最新のものが登録される。なお、再配信装置１のグローバルＩＰアドレスが動的に割り当てられる都度に、又は定期的に、ＩＰアドレス管理サーバ１４での再配信装置１に関する管理情報は逐次更新されることが好ましい。再配信装置１に直接接続されたモニタ２２０には、ＩＰアドレス管理サーバ１４のグローバルＩＰアドレスと、再配信装置１の識別情報に基づいて制御部４０によって生成されたＱＲコードが、制限時間（例えば、３０秒）とともに表示される（ステップＳ２２）。ユーザは、制限時間内に、表示されたＱＲコードを受信装置２１０のＱＲコードリーダで読み取ることで、インターネット１２２におけるＩＰアドレス管理サーバ１４のグローバルＩＰアドレスを特定する。（ステップＳ２３）。これに基づいて、受信装置２１０は、ＩＰアドレス管理サーバ１４にインターネット１２２経由でアクセスする（ステップＳ２４）。ＩＰアドレス管理サーバ１４に再配信装置１の識別情報を渡して、それに対応する再配信装置１の最新のグローバルＩＰアドレスを受け取り、再配信装置１にインターネット１２２経由でアクセスする。そして、受信装置２１０には、再配信装置１のグローバルＩＰアドレスを含む情報が登録される（ステップＳ１３）。なお、ネットワーク接続の状態を変更しなければ、次回以降のアクセスでは上記ステップＳ２３の操作は不要である。
【００６３】
次いで図６に示すように、通常の視聴等が以下の手順で行われる。すなわち、受信装置２１０に備わるＷＥＢブラウザ又は専用アプリケーションを起動し、上記のように初期設定されたグローバルＩＰアドレスに基づいてアクセスした再配信装置１に対して再生リクエストを送信することで、再配信装置１に記録された所望のコンテンツの視聴等の操作をインターネット１２２経由で行うことが可能である（ステップＳ２５）。また、再配信装置１から送信された録画予約一覧情報を受信装置２１０のモニタ部２１４で確認し、その情報を参照して録画候補を選択し、録画予約リクエストをインターネット１２２経由で再配信装置１に対して送信すること、すなわちインターネット１２２経由での録画予約設定も可能である（ステップＳ１５）。
【００６４】
以上みてきたように、本実施例によると再配信装置１によって再配信される１セグメント部分のコンテンツを、受信装置２１０において比較的容易な操作によって受信し、視聴することが可能となる。
【００６５】
なお、上記受信装置２１０が、再配信装置１のＩＰアドレスを直接的に又は間接的に特定できるのであれば、ＱＲコードに限る必要はない。また、ＩＰＶ６に対応した配信を行う場合には、再配信装置１が固有のグローバルＩＰアドレス持つため、ＬＡＮ経由の場合と同様の構成でもよい。また、個人又は家族での利用に限定するために、ＱＲコードによる設定には制限時間を設けて受信装置２１０の登録を制限してもよい。また、複数の受信装置２１が設定されている場合、録画予約等のアクセスは可能であるが、配信は１つの受信装置２１に制限してもよい。
【００６６】
なお、上述した実施例において、再配信装置１は本発明に係る「再配信装置」の一例であり、受信アンテナ１０及びデジタル放送チューナ部モジュール２０は本発明に係る「受信手段」の一例であり、主記憶装置３０は本発明に係る「記録手段」の一例であり、１セグメント分離部９１は本発明に係る「分離手段」の一例であり、１セグメント再配信部９０は本発明に係る「再配信手段」の一例であり、データ放送検索データベース３２は本発明に係る「データ放送検索データベース」の一例であり、番組データベース３２２は本発明に係る「番組データベース」の一例であり、番組インデックスデータベース３２１は本発明に係る「番組インデックスデータベース」の一例であり、データベース抽出作成部３３は本発明に係る「抽出手段」の一例であり、制御部４０及びネットワーク通信部７０は本発明に係る「データ放送検索手段」の一例であり、制御部４０は本発明に係る「記号作成手段」の一例であり、モニタ２２０は本発明に係る「表示手段」の一例であり、受信装置２１０は本発明に係る「受信装置」の一例であり、１セグメント放送チューナ部２１２は本発明に係る「第１受信手段」の一例であり、ネットワーク通信部２１１は本発明に係る「第２受信手段」の一例であり、１セグメントデコード部２１３は本発明に係る「復号手段」の一例であり、ネットワーク通信部２１１は本発明に係る「調整手段」の一例である。
【００６７】
本発明は、上述した実施例に限られるものではなく、請求の範囲及び明細書全体から読み取れる発明の要旨、或いは思想に反しない範囲で適宜変更可能であり、そのような変更を伴う再配信装置及び受信装置もまた、本発明の技術的範囲に含まれるものである。
【図面の簡単な説明】
【００６８】
【図１】本発明の実施例に係る再配信装置１の基本構成を示すブロック図である。
【図２】本発明の実施例に係る受信装置２１０の基本構成を示すブロック図である。
【図３】実施例に係る再配信装置１のデータベースを示すブロック図である。
【図４】実施例に係る再配信装置１のデータベースを、受信装置２１０から操作する様子を示す模式図である。
【図５】実施例に係る再配信装置１へのアクセスにＱＲコードを利用する際の手順を概念的に示す模式図である（ＬＡＮ（Local Area Network）１２１経由の場合）。
【図６】実施例に係る再配信装置１へのアクセスにＱＲコードを利用する際の手順を概念的に示す模式図である（インターネット１２１経由での接続例）。
【符号の説明】
【００６９】
１  再配信装置
１０  受信アンテナ
２０  デジタル放送チューナ部モジュール
３０  主記憶装置
９０  １セグメント再配信部
９１  １セグメント分離部
３２  データ放送検索データベース
３２１  番組インデックスデータベース
３２２  番組データベース
３３  データベース抽出作成部
４０  制御部
７０  ネットワーク通信部
２２０  モニタ
２１０  受信装置
２１１  ネットワーク通信部
２１２  １セグメント放送チューナ部
２１３  １セグメントデコード部
【図１】
2009094972.tif 000003
【図２】
2009094972.tif 000004
【図３】
2009094972.tif 000005
【図４】
2009094972.tif 000006
【図５】
2009094972.tif 000007
【図６】
2009094972.tif 000008